(57)【特許請求の範囲】
【請求項１】
積み重ねたワークを断裁するための断裁機であって、
揃えられたワークの一部を断裁時に固定するワーク固定手段と、
ワークの断裁後に、前記ワーク固定手段をワーク固定状態に保ったままで、前記ワーク固定手段によって固定されていない側のワークの断裁面と前記ワーク固定手段によって固定された側のワークの断裁面とを突き合わせることによって固定されていない側のワークを揃える手段とを備えた断裁機。
【請求項２】
ワークの断裁面を突き合わせる前記手段は、断裁されたワークを搬出するための部材によって構成されていることを特徴とする、請求項１に記載の断裁機。
【請求項３】
積み重ねたワークを断裁するための断裁機において、
揃えて置かれたワークの一部を固定し、該ワークをブレードによって断裁した後、断裁されたワークのうち一方のワークを固定したままで、固定されていない側のワークの断裁面と固定されていた側のワークの断裁面とを突き合わせることによって固定されていない側のワークを揃えることを特徴とする、断裁機においてワークを揃える方法。
【発明の詳細な説明】
【０００１】
【発明の属する技術分野】
本発明は、積み重ねられた紙等を断裁するための断裁機に関する。
【０００２】
【背景技術とその問題点】
断裁機により印刷物等を断裁する場合には、あらかじめ紙揃え機により印刷物等を揃えておいてから断裁される。しかし、断裁機で断裁される紙は、例えば横幅が１００ｃｍ前後あるようなものを何十枚と重ねたものが多く、それに対応して断裁機のブレード（刃）も大型のものが用いられる。
【０００３】
このようなブレードは、図１（ａ）（ｂ）に示すように、ブレード３の厚みも大きいので、印刷物等１を押え具２で押さえていても、断裁したときに、図１（ｃ）のように、ブレード３の刃先角によって断裁された印刷物等１ａが崩れたり、ばらけたりする問題があった。
【０００４】
このような場合、従来にあっては、人手作業により再び印刷物等を揃えたり、あるいは断裁機で断裁された印刷物等を紙揃え機へ送って断裁された印刷物等を揃え直したりしていた。また、印刷物等を断裁する前に、各断裁単位毎に印刷物等をバンドで結束しておき、印刷物等がバンドで結束された状態で切り離されるようにする方法も用いられていた。
【０００５】
このため、人件費が掛かったり、紙揃え機やバンドにより結束する装置が必要となり、印刷物等の断裁に関するコストが高くついていた。
【０００６】
本発明は上記の従来例の欠点に鑑みてなされたものであり、その目的とするところは、断裁されたワークを揃える機能を備えた断裁機と、断裁機においてワークを揃える方法とを提供することにある。
【０００７】
【発明の開示】
請求項１に記載の断裁機は、積み重ねたワークを断裁するための断裁機であって、揃えられたワークの一部を断裁時に固定するワーク固定手段と、ワークの断裁後に、前記ワーク固定手段をワーク固定状態に保ったままで、前記ワーク固定手段によって固定されていない側のワークの断裁面と前記ワーク固定手段によって固定された側のワークの断裁面とを突き合わせることによって固定されていない側のワークを揃える手段とを備えたものである。
【０００８】
請求項１に記載の断裁機にあっては、ワークの断裁後に、前記ワーク固定手段をワーク固定状態に保ったままで、固定されていない側のワークの断裁面と固定された側のワークの断裁面とを突き合わせているので、断裁時に固定されていない側のワークがばらけたり、崩れたりしても、固定されたワークの揃った断裁面によって固定されていない側のワークの断裁面が揃えられる。よって、特別な装置を必要とすることなく、裁断後のワークを容易に揃えることができ、設備コストが高価につくこともない。
【０００９】
請求項２に記載の断裁機は、請求項１に記載した断裁機におけるワークの断裁面を突き合わせる前記手段が、断裁されたワークを搬出するための部材によって構成されていることを特徴としている。
【００１０】
請求項２に記載の断裁機にあっては、ワークの断裁面を突き合わせる手段を、断裁されたワークを搬出するための部材によって構成しているので、断裁機にワークを揃えるための余分な装置を付加する必要が無く、より設備コストを安価にできる。
【００１１】
請求項３に記載の断裁機は、積み重ねたワークを断裁するための断裁機においてワークを揃える方法であって、揃えて置かれたワークの一部を固定し、該ワークをブレードによって断裁した後、断裁されたワークのうち一方のワークを固定したままで、固定されていない側のワークの断裁面と固定されていた側のワークの断裁面とを突き合わせることによって固定されていない側のワークを揃えることを特徴としている。
【００１２】
請求項３に記載の方法にあっては、ワークの断裁後に、断裁されたワークのうち一方のワークを固定したままで、固定されていない側のワークの断裁面と固定された側のワークの断裁面とを突き合わせて断裁されたワークを揃えているので、断裁時に固定されていない側のワークがばらけたり、崩れたりしても、固定されたワークの揃った断裁面によって固定されていない側のワークの断裁面が揃えられる。よって、特別な装置を必要とすることなく、裁断後のワークを容易に揃えることができ、設備コストが高価につくこともない。
【００１３】
【発明の実施の形態】
（第１の実施形態）
図２（ａ）〜図４（ｉ）は本発明の一実施形態による断裁機の構造とその動作順序を説明する概略図である。まず、断裁機１１の構造を説明する。この断裁機１１にあっては、図２（ａ）に示すように、断裁テーブル１２の前部上方において、断裁テーブル１２の溝木１６と対向させて断裁用のブレード１３が配設されている。ブレード１３は下方へ降下することによって断裁テーブル１２上に置かれた葉書原紙などの紙（ワーク）を断裁するものであり、背面は平坦面となっており、前面下部には刃先角をなすテーパー面が形成されている。また、ブレード１３の背面に対向する位置には、下端部が櫛歯状をした前押え具１４が昇降可能に設けられており、前押え具１４の背面には、紙の端を揃えるための前当て板１５が設けられている。
【００１４】
断裁テーブル１２の少なくとも後部には、溝、スリット、部材間の隙間等の間隙部分１７が複数箇所に設けられており、適宜複数箇所の間隙部分１７には、紙の端を掴んで保持するためのバックゲージ１８が設けられている。このバックゲージ１８は、断裁テーブル１２の間隙部分１７内を前後方向に移動できるようになっている。また、バックゲージ１８は、下顎部１９と上顎部２１の間に紙を挟み込むことができるようになっており、下顎部１９はエアシリンダ２０を駆動することによって昇降され、上顎部２１は図外のエアシリンダやモータ等によって昇降される。上顎部２１と下顎部１９の間の垂直面は、紙を当接させるための当接部２２となっている。
【００１５】
断裁テーブル１２の前方には、前後方向に移動可能で、断裁テーブル１２と同じ高さに前テーブル２３が配設されている。前テーブル２３の上面には、前後方向に複数本の溝２４が凹設されている。また、図３（ｅ）に示すように、断裁テーブル１２の前方には、断裁された紙を掴んで搬出するためのフロントゲージ２５が設けられている。フロントゲージ２５は、下顎部２６と上顎部２７との間に紙を掴んで保持し、断裁された紙を断裁機１１外へ搬出するものであり、上顎部２７はエアシリンダ２８によって昇降させられるようになっており、上顎部２７と下顎部２６との間の垂直面は紙の端を揃えるための当接部２９となっている。このフロントゲージ２５は、下顎部２６が溝２４にはまり込んだ状態で、溝２４に沿って前後方向に移動できるようになっている。
【００１６】
前テーブル２３の後端部分の両側部と断裁テーブル１２の前端部分の両側部には、図３（ｅ）に示すように、前テーブル２３の上の紙を両側から挟んで位置決め保持するための側面ゲージ３０ａと、断裁テーブル１２の上の紙を両側から挟んで位置決め保持するための側面ゲージ３０ｂとがそれぞれ設けられており、両側面ゲート３０ａ及び３０ｂはブレード１３の位置を避けるよう配置されている。
【００１７】
次に、この断裁機１１により積み重ねられた葉書原紙等の紙３１を断裁する工程を説明する。まず、紙３１が断裁テーブル１２の上に搬入される前には、前押え具１４は上昇しており、バックゲージ１８の上顎部２１と下顎部１９はそれぞれ上下に開いている。この状態において前テーブル２３が後退して断裁テーブル１２の前端で停止すると、前テーブル２３から断裁テーブル１２へ紙３１が移載される。このとき断裁テーブル１２へ移載された紙３１は、バックゲージ１８の当接部２２に当たって止まる。
【００１８】
この後、図２（ａ）に示すように、前押え具１４が断裁テーブル１２の上面に下降し、前当て板１５の下面が断裁テーブル１２の上面に接する。ついで、バックゲージ１８は、下顎部１９を断裁テーブル１２の上面まで上昇させて紙３１を下面から受け、前方へ移動する。これによってバックゲージ１８の当接部２２で前方へ押された紙３１は前当て板１５に当接し、前当て板１５と当接部２２の間に挟まれて前後方向に紙揃えされる。こうして前後方向及び側方向で紙揃えした後、図２（ｂ）に示すように、バックゲージ１８の上顎部２１が下降し、上顎部２１と下顎部１９の間に紙３１を掴んで固定する。
【００１９】
こうして紙３１が位置決め状態で固定されると、図２（ｃ）に示すように、前テーブル２３は前方へ戻り、バックゲージ１８は所定距離だけ前方へ移動する。バックゲージ１８が所定距離だけ前方へ送られると、紙３１が所定寸法だけ前方へ送り出され、紙３１の縁の不要部分がブレード１３よりも前方へ出る。ついで、前押え具１４が上方から下降し、紙３１の前部をしっかりと押える。続けて、図３（ｄ）に示すように、ブレード１３が降下して紙の不要部分３１ｂを断裁する。
【００２０】
こうして紙の不要部分３１ｂが除かれると、図３（ｅ）に示すように、前テーブル２３が再び後方へ移動する。ついで、前押え具１４が上昇して紙３１から離れ、バックゲージ１８が所定距離だけ前進する。これにより、紙３１は葉書等の印刷物の個片の幅ないし長さ分だけブレード１３から前方へ突出する。フロントゲージ２５は、前テーブル２３の上面に沿って後方へ移動し、当接部２９を紙３１の前面（断裁面）に当接させる。このとき、両側部に設けられている側面ゲージ３０ａと側面ゲート３０ｂが閉じ、それぞれ前テーブル２３上と断裁テーブル１２上で両側から紙を緩く挟んで紙揃えする。ついで、図３（ｆ）に示すように、前押え具１４が下降して紙３１を押さえ、フロントゲージ２５も上顎部２７が下降して紙３１の端を緩く掴む。また、この状態では、フロントゲージ２５は力が加わると前後方向に移動するようになっている。
【００２１】
紙３１が位置決めされると、図４（ｇ）に示すように、ブレード１３が降下して紙３１を断裁する。このとき断裁された紙３１ａは、刃先角によって押されて前後方向にばらけたり、崩れたりする。ただし、左右方向では、紙３１ａは側面ブレード３０ａで保持されて揃えられている。それと同時に、フロントゲージ２５も前に押されて少し下がる。
【００２２】
こうして紙３１ａが断裁されると、フロントゲージ２５は後方へ押し出され、図４（ｈ）に示すように、緩く掴んでいる紙３１ａをバックゲージ１８及び前押え具１４で固定されている紙３１の断裁面に押し付ける。固定されている紙３１の断裁面は、きれいに揃っているから、この断裁面に断裁された紙３１ａの端面（断裁面）を押し付けると、断裁された紙３１ａはきれいに揃う。ついで、側面ゲージ３０ａ、３０ｂが外側へ開き、図４（ｉ）に示すように、フロントゲージ２５の上顎部２７を下降させて揃った紙３１ａをしっかりと掴み、揃えられた紙３１ａをフロントゲージ２５で保持して次工程へ搬出する。
【００２３】
よって、この断裁機１１によれば、図３（ｅ）〜図４（ｉ）のような工程を繰り返すことにより、紙３１を順次定寸に断裁することができる。
【００２４】
（第２の実施形態）
図５（ａ）〜図８（ｋ）は本発明の別な実施形態による断裁機の構造とその動作順序を説明する概略図である。この断裁機２１にあっても、図５（ａ）に示すように、断裁テーブル１２の前部上方において、断裁テーブル１２の溝木１６と対向させて断裁用のブレード１３が配設されている。また、ブレード１３の背面に対向する位置には、下端部が櫛歯状をした前押え具１４が昇降可能に設けられている。さらに、断裁テーブル１２の間隙部分１７には、バックゲージ１８が位置している。また、図示しないが、断裁テーブル１２の前部においては、第１の実施形態の場合と同様にして、ブレード１３位置を前後から挟むようにして側面ゲージ３０ａ、３０ｂが設けられており、断裁テーブル１２の上に載置された紙を側面ゲージ３０ａ、３０ｂで両側から挟んで紙を位置決め保持できるようにしている。
【００２５】
ブレード１３の前方で、断裁テーブル１２の上方には、断裁される紙を押さえるための押圧具４２が昇降可能に設けられている。また、断裁テーブル１２の前方には、断裁された紙の端面を押さえるためのフロントゲージ４４が設けられている。フロントゲージ４４は、エアシリンダ４５によって当接部４６を前後に駆動できるようにしたものであり、断裁テーブル１２とほぼ同じ高さと断裁テーブル１２よりも低い待機位置との間で昇降可能となっている。
【００２６】
断裁テーブル１２の前端部には前後方向に複数本の溝４３が設けられており、断裁テーブル１２の前端部は櫛歯状に形成されている。図８（ｉ）に示すように、断裁テーブル１２の前方には、断裁された紙を掴んで搬出するための搬出部４７が設けられている。搬出部４７は、下顎部４８と上顎部４９との間に紙を掴んで保持し、断裁された紙を断裁機４１外へ搬出するものであり、上顎部４９はエアシリンダ５０によって昇降するようになっている。この搬出部４７は、下顎部４８を溝４３にはまり込ませた状態で、溝４３に沿って前後方向に移動させられる。
【００２７】
次に、この断裁機４１により積み重ねられた葉書原紙等の紙３１を断裁する工程を説明する。まず、紙３１が断裁テーブル１２の上に搬入される前には、前押え具１４と押圧具４２は上昇し、フロントゲージ４４は断裁テーブル１２よりも下に下降しており、バックゲージ１８の上顎部２１と下顎部１９はそれぞれ上下に開いている。この状態において断裁テーブル１２の上に紙３１が移載されると、図５（ａ）に示すように、断裁テーブル１２へ移載された紙３１は、バックゲージ１８の当接部２２に当たって止まる。ついで、バックゲージ１８は、下顎部１９を断裁テーブル１２の上面まで上昇させて紙３１を下面から受け、上顎部２１を降下させて紙３１の端を緩く掴む。
【００２８】
この後、図５（ｂ）に示すように、フロントゲージ４４が断裁テーブル１２とほぼ同じ高さまで上昇し、エアシリンダ４５を駆動して当接部４６を突出させる。
【００２９】
次に、図６（ｃ）に示すように、バックゲージ１８を前方へ移動させ、紙３１の前端面をフロントゲージ４４の当接部４６に突き当て、バックゲージ１８と当接部４６の間に紙３１を挟んで前後方向に紙揃えする。さらに、図６（ｄ）に示すように、紙３１の両側面を２組の側面ゲージ（図示省略）によって挟み、側方向でも紙揃えする。そして、バックゲージ１８で紙３１の端部をしっかりと掴むとともに押圧具４２を下降させて、ブレード１３よりも前方で紙３１を緩く押さえる。
【００３０】
こうして前後方向及び側方向で紙揃えした後、図６（ｅ）に示すように、前押え具１４を下降させて紙３１の断裁個所を断裁テーブル１２に押さえ付け、図７（ｆ）のように当接部４６を少し前方へ引っ込める。そして、図７（ｇ）に示すように、ブレード１３が降下して紙３１を所定寸法に断裁する。
【００３１】
紙３１が断裁されると、図７（ｈ）に示すように、再び当接部４６を突出させて断裁された紙３１ａの断裁面と前押え具１４で固定されている紙３１の断裁面とを突き合わせ、それによって断裁された紙３１ａをもとのように揃える。
【００３２】
この後、側面ゲージが左右に開き、フロントゲージ４４が、元のように断裁テーブル１２の下の待機位置まで戻り、図８（ｉ）に示すように前方から搬出部４７が進み出る。そして、図８（ｊ）に示すように、搬出部４７の下顎部４８を断裁テーブル１２の溝４３内に挿入すると共にエアシリンダ５０を駆動して上顎部４９を降下させ、上顎部４９と下顎部４８の間に紙３１ａを挟み込んでしっかりと把持し、図８（ｋ）のように紙３１ａを掴んで次工程へ搬出する。
【００３３】
この実施形態でも、図６（ｃ）〜図８（ｋ）のような工程を繰り返すことにより、紙３１を順次定寸に断裁することができる。
【００３４】
【発明の効果】
請求項１に記載の断裁機にあっては、断裁時に固定されていない側のワークがばらけたり、崩れたりしても、固定されたワークの揃った断裁面によって固定されていない側のワークを揃えることができるので、特別な装置を必要とすることなく、裁断後のワークを容易に揃えることができ、設備コストが高価につくこともない。
【００３５】
また、請求項２に記載の断裁機にあっては、ワークの断裁面を突き合わせる手段を、断裁されたワークを搬出するための部材によって構成しているので、断裁機にワークを揃えるための余分な装置を付加する必要が無く、より設備コストを安価にできる。
【００３６】
請求項３に記載の方法にあっては、断裁時に固定されていない側のワークがばらけたり、崩れたりしても、断裁されたワークの断裁面を固定されたワークの揃った断裁面に突き合わせることによって断裁されたワークを揃えることができるので、特別な装置を必要とすることなく、裁断後のワークを容易に揃えることができ、設備コストが高価につくこともない。
【図面の簡単な説明】
【図１】（ａ）（ｂ）（ｃ）は断裁時の問題点を説明する図である。
【図２】（ａ）（ｂ）（ｃ）は本発明の一実施形態による断裁工程を説明する図である。
【図３】（ｄ）（ｅ）（ｆ）は図２の続図である。
【図４】（ｇ）（ｈ）（ｉ）は図３の続図である。
【図５】（ａ）（ｂ）は本発明の別な実施形態による断裁工程を説明する図である。
【図６】（ｃ）（ｄ）（ｅ）は図５の続図である。
【図７】（ｆ）（ｇ）（ｈ）は図６の続図である。
【図８】（ｉ）（ｊ）（ｋ）は図７の続図である。
【符号の説明】
１１  断裁機
１２  断裁テーブル
１３  ブレード
１４  前押え具
１８  バックゲージ
２５  フロントゲージ
３０ａ、３０ｂ  側面ゲージ
３１  紙
３１ａ  断裁された紙
４１  断裁機
４２  前押え具
４４  フロントゲージ
４７  搬出部
【図１】
0003579829.tif 000002
【図２】
0003579829.tif 000003
【図３】
0003579829.tif 000004
【図４】
0003579829.tif 000005
【図５】
0003579829.tif 000006
【図６】
0003579829.tif 000007
【図７】
0003579829.tif 000008
【図８】
0003579829.tif 000009